(57)【要約】【課題】静電フィルタでは、電位の印加を持続すると繊維中に帯電し、ゴミの付着で誘電現象が発生し、表面電位を低下させ、捕集性能を低下させるため、捕集性能を維持、持続するフィルタが要望されていた。【解決手段】導電性を有する導電繊維１５と、導電性を有する導電繊維８の表面を絶縁処理された絶縁繊維１０と、導電繊維８と絶縁繊維１０の間に電位を印加する電圧電源２と、導電繊維８と絶縁繊維１０に電位を一定に保つためのコンデンサー３と、コンデンサー３の電位変動を検出する電位変動検出手段４を備えることにより、帯電した粉塵の捕集堆積による電界強度の低下を補償し、導電繊維と絶縁繊維１０間の電位差、電界強度を維持して持続的に捕集性能を維持および持続することができる静電フィルタ装置を提供できる。【選択図】図２
2009090165.tif 000002
【特許請求の範囲】
【請求項１】
導電性を有する導電繊維と、導電性を有する繊維の表面を絶縁処理された絶縁繊維と、前記導電繊維と前記絶縁繊維の間に電位を印加する電圧電源と、前記導電繊維と前記絶縁繊維に電位を一定に保つための蓄電手段と、前記蓄電手段の電位変動を検出する検出手段を備えてなる静電フィルタ装置。
【請求項２】
導電性を有する導電繊維と、導電性を有する繊維の表面を絶縁処理された絶縁繊維と、前記導電繊維と前記絶縁繊維の間に電位を印加する電圧電源と、前記導電繊維と前記絶縁繊維に電位を一定に保つための蓄電手段と、前記蓄電手段の電位変動を検出する検出手段と、コロナ放電するための電極を備えてなる静電フィルタ装置。
【請求項３】
風上にコロナ放電するための電極を備えたことを特徴とする請求項３記載の静電フィルタ装置。
【請求項４】
電極を針状の形状にしたことを特徴とする請求項２または３記載の静電フィルタ装置。
【請求項５】
導電性を有する導電繊維の表面を絶縁処理された絶縁被膜導電繊維を設けてなる請求項１または２記載の静電フィルタ装置。
【請求項６】
前記電圧を印加する電圧電源を直流回路にすることを特徴とする請求項１または２記載の静電フィルタ装置。
【請求項７】
前記電圧を印加する電圧電源の極性を切り替えることを特徴とする請求項１、２または６記載の静電フィルタ装置。
【請求項８】
前記導電繊維と前記絶縁繊維の間に電位を印加する電圧を制御する手段を備えることを特徴とする請求項１、２、６または７記載の静電フィルタ装置。
【請求項９】
前記導電性を有する繊維の材質を  Ｃｕ、Ａｇまたは金属複合材料を設けてなる請求項１、２、６、７または８記載の静電フィルタ装置。
【請求項１０】
前記絶縁繊維の表面の体積抵抗率を１０＾６Ωｃｍ〜１０＾１７Ωｃｍとしてなる請求項１、２、５または８記載の静電フィルタ装置。
【請求項１１】
前記絶縁繊維の表面抵抗率を１０＾６Ω／□〜１０＾１７Ω／□としてなる請求項１、２、５、８または９記載の静電フィルタ装置。
【請求項１２】
前記絶縁繊維の表面を平滑にすることを特徴とする請求項１、２、５、８、９、または１０記載の静電フィルタ装置。
【請求項１３】
前記蓄電手段の電圧が低下した時に電圧電源から、電気が通電されることを特徴とする請求項１または２記載の静電フィルタ装置。
【請求項１４】
前記蓄電手段の電圧が低下した時に電圧電源から、低下する前の極性と反対の極性の電気が通電されることを設けてなる請求項１、２または１３記載の静電フィルタ装置。
【請求項１５】
前記検出手段として電流を検出することを特徴とする請求項１または２記載の静電フィルタ装置。
【発明の詳細な説明】
【技術分野】
【０００１】
粉塵を捕集する空気清浄の分野における集塵フィルタ装置に関するものである。
【背景技術】
【０００２】
従来、この種の静電フィルタとして、ワイヤーメッシュとして電気絶縁材のフェラメントを十字形模様に形成した静電フィルタが知られている（例えば、特許文献１参照）。
【０００３】
以下、その静電フィルタについて図６を参照しながら説明する。
【０００４】
図６に示すように、ワイヤーメッシュ１０１は、電気的に絶縁された導電性のワイヤー１０２と十字形に位置した電気的に絶縁された導電性のワイヤー１０３とで構成され、ワイヤー１０２をセットとして導電性母線１０４とワイヤー１０３をセットとして導電性母線１０５とで結合されている。導電性母線１０４と導電性母線１０５には、交流電圧供給源１０６が接続され、交流電圧供給源１０６より電圧が印加され、導電性のワイヤー１０２と導電性のワイヤー１０３に通電され、導電性のワイヤー１０２と導電性のワイヤー１０３の間に電位が保たれ、ワイヤーメッシュ１０１を通過する荷電した粒子が導電性のワイヤー１０２と導電性のワイヤー１０３に付着する。
【特許文献１】特許第２９０５０３６号公報
【発明の開示】
【発明が解決しようとする課題】
【０００５】
このような従来の静電フィルタでは、電位の印加を持続すると繊維中に帯電し、ゴミの付着で誘電現象が発生し、表面電位を低下させ、捕集性能を低下させるため、捕集性能を維持、持続する静電フィルタ装置が要望されていた。
【０００６】
本発明は、このような従来の課題を解決するものであり、誘電現象で低下した表面電位を検出して電位を維持して持続的に捕集性能を維持することのできる静電フィルタ装置を提供することを目的としている。帯電した粉塵の捕集堆積による電界強度の低下を補償し捕集性能を維持、持続することのできる静電フィルタ装置を提供することを目的としている。
【課題を解決するための手段】
【０００７】
本発明の導電性を有する導電繊維と導電性を有する繊維の表面を絶縁処理された絶縁繊維をフィルタ本体とし、前記導電繊維と前記絶縁繊維の間に電位を印加する電圧電源と、前記導電繊維と前記絶縁繊維に電位を一定に保つための蓄電手段と蓄電手段の電位変動を検出する検出手段を備えたものである。
【０００８】
また、他の手段は、導電性を有する導電繊維と導電性を有する繊維の表面を絶縁処理された絶縁繊維をフィルタ本体とし、前記導電繊維と前記絶縁繊維の間に電位を印加する電圧電源と、前記導電繊維と前記絶縁繊維に電位を一定に保つための蓄電手段と蓄電手段の電位変動を検出する検出手段と前記導電繊維または前記絶縁繊維に印加した電位を流しコロナ放電するための電極を備えたものである。
【０００９】
また、他の手段は、風上にコロナ放電するための電極を備えたものである。
【００１０】
また、他の手段は、電極を針状の形状にしたことを特徴としたものである。
【００１１】
また、他の手段は、導電性を有する導電繊維の表面を絶縁処理された絶縁被膜導電繊維を設けてなるフィルタ本体としたものである。
【００１２】
また、他の手段は、前記電圧を印加する電圧電源を直流回路としたものである。
【００１３】
また、他の手段は、前記電圧を印加する電圧電源の極性を切り替えたものである。
【００１４】
また、他の手段は、前記導電繊維と前記絶縁繊維の間に電位を印加する電圧を制御する手段を備えたものである。
【００１５】
また、他の手段は、前記導電性を有する繊維の材質を  Ｃｕ、Ａｇまたは金属複合材料を設けたものである。
【００１６】
また、他の手段は、前記絶縁繊維の表面の体積抵抗率を１０＾６Ωｃｍ〜１０＾１７Ωｃｍとしたものである。
【００１７】
また、他の手段は、前記絶縁繊維の表面抵抗率を１０＾６Ω／□〜１０＾１７Ω／□としたものである。
【００１８】
また、他の手段は、前記絶縁繊維の表面を平滑にすることを特徴としたものである。
【００１９】
また、他の手段は、前記蓄電手段の電圧が低下した時に電圧電源から、電気が通電されたものである。
【００２０】
また、他の手段は、前記蓄電手段の電圧が低下した時に電圧電源から、低下する前の極性と反対の極性の電気が通電されることを設けたものである。
【００２１】
また、他の手段は、前記検出手段として電流を検出したものである。
【発明の効果】
【００２２】
本発明によれば、導電性を有する導電繊維と、導電性を有する繊維の表面を絶縁処理された絶縁繊維と、前記導電繊維と前記絶縁繊維の間に電位を印加する電圧電源と、前記導電繊維と前記絶縁繊維に電位を一定に保つための蓄電手段と、前記蓄電手段の電位変動を検出する検出手段を備えてなる静電フィルタ装置とすることにより、誘電現象で低下した表面電位を検出して低下した電位を供給し、導電繊維と絶縁繊維間の電位差、電界強度を維持して持続的に捕集性能を維持することができるという効果のある静電フィルタ装置を提供することができる。帯電した粉塵の捕集堆積による電界強度の低下を補償し、静電フィルタの導電繊維と絶縁繊維間の電位差、電界強度を維持して捕集性能を維持、持続することができる静電フィルタ装置を提供することができる。
【００２３】
また、導電性を有する導電繊維と、導電性を有する繊維の表面を絶縁処理された絶縁繊維と、前記導電繊維と前記絶縁繊維の間に電位を印加する電圧電源と、前記導電繊維と前記絶縁繊維に電位を一定に保つための蓄電手段と、前記蓄電手段の電位変動を検出する検出手段と、コロナ放電するための電極を備えることにより、捕集性能を維持することができ、本発明の静電フィルタ装置を備えた空気清浄機、あるいは空調機の本体をコンパクト化するという効果のある静電フィルタ装置を提供することができる。
【００２４】
また、風上にコロナ放電するための電極を備えることにより、空気中に存在する塵埃を効率的に帯電し高い捕集ができるという効果のある静電フィルタ装置を提供することができる。
【００２５】
また、電極を針状の形状にしたことにより、帯電しない空気中の塵埃を効率的に帯電し、少量の荷電のエネルギーで空気中の塵埃を捕集するという効果のある静電フィルタ装置を提供することができる。
【００２６】
また、導電性を有する導電繊維の表面を絶縁処理された絶縁被膜導電繊維を設けることにより、洗浄時に洗剤による導電繊維の腐食を防止し、フィルタ本体の耐水性を高め、何度でも利用可能という効果のある静電フィルタ装置を提供することができる。
【００２７】
また、前記電圧を印加する電圧電源を直流回路にすることにより、材料素性の熱劣化を防止し、さらに蓄電手段や配線回路を容易に作製ができるという効果のある静電フィルタ装置を提供することができる。
【００２８】
また、前記電圧を印加する電圧電源の極性を切り替えることにより、集塵部の面積を増加し、装置の容量をコンパクトに作製できるという効果のある静電フィルタ装置を提供することができる。
【００２９】
また、前記導電繊維と前記絶縁繊維の間に電位を印加する電圧を制御する手段を備えることにより、必要最小限の電力で、捕集機能を満たし、省エネで運転するという効果のある静電フィルタ装置を提供することができる。
【００３０】
また、前記導電性を有する繊維の材質を  Ｃｕ、Ａｇまたは金属複合材料を設けることにより、発熱による劣化を低減し、安全に動作できるという効果のある静電フィルタ装置を提供することができる。
【００３１】
また、前記絶縁繊維の表面の体積抵抗率を１０＾６Ωｃｍ〜１０＾１７Ωｃｍにすることにより、自然に時間共に静電気が低下し、さらに安全に動作するという効果のある静電フィルタ装置を提供することができる。
【００３２】
また、前記絶縁繊維の表面抵抗率を１０＾６Ω／□〜１０＾１７Ω／□にすることにより、自然に、時間共に静電気が低下し、さらに安全に動作するという効果のある静電フィルタ装置を提供することができる。
【００３３】
また、前記絶縁繊維の表面を平滑にすることにより、塵埃が付着したフィルタから塵埃を容易に洗い流せるため、何回もフィルタを再利用できるという効果のある静電フィルタ装置を提供することができる。
【００３４】
また、前記蓄電手段の電圧が低下した時に電圧電源から、電気が通電されることにより、充電して持ち運ぶことが容易にできるという効果のある静電フィルタ装置を提供することができる。
【００３５】
また、前記蓄電手段の電圧が低下した時に電圧電源から、低下する前の極性と反対の極性の電気が通電されることを設けることにより、付着した塵埃を回収することができるという効果のある静電フィルタ装置を提供することができる。
【００３６】
また、前記検出手段として電流を検出することにより、洗浄する時期を予測することができるという効果のある静電フィルタ装置を提供することができる。
【発明を実施するための最良の形態】
【００３７】
本発明の請求項１記載の発明は、導電性を有する導電繊維と、導電性を有する繊維の表面を絶縁処理された絶縁繊維と、前記導電繊維と前記絶縁繊維の間に電位を印加する電圧電源と、前記導電繊維と前記絶縁繊維に電位を一定に保つための蓄電手段と、前記蓄電手段の電位変動を検出する検出手段を備えてなる静電フィルタ装置としたものであり、粉塵などが付着した際に起こる電離現象を低減させ、誘電現象で低下した表面電位を検出して低下した電位を供給し、導電繊維と絶縁繊維間の電位差、電界強度を維持して持続的に捕集性能を維持することができるという効果のある静電フィルタ装置を提供することができる。導電性を有する導電繊維と、導電性を有する繊維の表面を絶縁処理された絶縁繊維と、前記導電繊維と前記絶縁繊維の間に電位を印加する電圧電源または／および前記導電繊維と前記絶縁繊維に電位を一定に保つための蓄電手段と、前記導電繊維の表面電位を検出する表面電位検出手段を備えることにより、印加された電位と異なる極性の電位が発生しその電位分の電界強度が低下することから、絶縁繊維上で発生する電位を電圧計等の表面電位検出手段で計測し、帯電した粉塵の捕集堆積による電界強度の低下分の補償措置として、電圧電源または／および蓄電手段から静電フィルタの導電繊維と絶縁繊維の導電繊維に、絶縁繊維の表面に発生した異なる極性の電位分を上乗せして電位、電圧を供給、印加し、静電フィルタの導電繊維と絶縁繊維間の電位差、電界強度を維持することで、集塵捕集された塵埃、粉塵が堆積しても、集塵性能を低下させることなく集塵性能を維持できることとなる。
【００３８】
また、導電性を有する導電繊維と、導電性を有する繊維の表面を絶縁処理された絶縁繊維と、前記導電繊維と前記絶縁繊維の間に電位を印加する電圧電源と、前記導電繊維と前記絶縁繊維に電位を一定に保つための蓄電手段と、前記蓄電手段の電位変動を検出する検出手段と、コロナ放電するための電極を備えてなる静電フィルタ装置としたものであり、大気に含まれる無電荷の塵埃に導電繊維と絶縁繊維から流れる電力を利用してできるコロナ放電により荷電することで、無荷電の塵埃の捕集性能を向上させることができるという作用を有する。
【００３９】
また、風上にコロナ放電するための電極を備えたことを特徴とする請求項３記載の静電フィルタ装置としたものであり、さらに大気に含まれる塵埃の捕集を高めるという作用を有する。
【００４０】
また、電極を針状の形状にしたことを特徴とする請求項２または３記載の静電フィルタ装置としたものであり、イオン発生する密度を高め、塵埃に帯電するという作用を有する。
【００４１】
また、導電性を有する導電繊維の表面を絶縁処理された絶縁被膜導電繊維を設けてなるフィルタ本体とした請求項１または２記載の静電フィルタ装置としたものであり、導電繊維を被膜し、洗浄時に水付着を抑制するという作用を有する。
【００４２】
また、前記電圧を印加する電圧電源を直流回路にすることを特徴とする請求項１または２記載の静電フィルタ装置としたものであり、乾電池などの簡易的な電源を用いことが可能という作用を有する。
【００４３】
また、前記電圧を印加する電圧電源の極性を切り替えることを特徴とする請求項１、２または６記載の静電フィルタ装置としたものであり、少ない集塵フィルタ面積で集塵ができるという作用を有する。
【００４４】
また、前記導電繊維と前記絶縁繊維の間に電位を印加する電圧を制御する手段を備えることを特徴とする請求項１、２、６または７記載の静電フィルタ装置としたものであり、集塵に必要な電気で集塵するという作用を有する。
【００４５】
また、前記導電性を有する繊維の材質を  Ｃｕ、Ａｇまたは金属複合材料を設けてなる請求項１、２、６、７または８記載の静電フィルタ装置としたものであり、内部抵抗を低減することができるという作用を有する。
【００４６】
また、前記絶縁繊維の表面の体積抵抗率を１０＾６Ωｃｍ〜１０＾１７Ωｃｍとしてなる請求項１、２、５または８記載の静電フィルタ装置。としたものであり、放電による電圧低下や摩擦により帯電電圧上昇を制御することができるという作用を有する。
【００４７】
また、前記絶縁繊維の表面抵抗率を１０＾６Ω／□〜１０＾１７Ω／□としてなる請求項１、２、５、８または９記載の静電フィルタ装置としたものであり、放電による電圧低下や摩擦により帯電電圧上昇を制御することができるという作用を有する。
【００４８】
また、前記絶縁繊維の表面を平滑にすることを特徴とする請求項１、２、５、８、９、または１０記載の静電フィルタ装置としたものであり、洗浄の際に塵埃が落ち易く、表面が洗い易くすることができるという作用を有する。
【００４９】
また、前記蓄電手段の電圧が低下した時に電圧電源から、電気が通電されることを特徴とする請求項１または２記載の静電フィルタ装置としたものであり、蓄電手段に電圧が一定な場合は、電源電圧からの電力を省くことが可能であるという作用を有する。
【００５０】
また、前記蓄電手段の電圧が低下した時に電圧電源から、低下する前の極性と反対の極性の電気が通電されることを設けてなる請求項１、２または１３記載の静電フィルタ装置。としたものであり、捕集面に付着した塵埃を落とし、集めることができるという作用を有する。
【００５１】
また、前記検出手段として電流を検出することを特徴とする請求項１または２記載の静電フィルタ装置としたものであり、捕集された塵埃の量を検出することができるという作用を有する。
【００５２】
以下、本発明の実施の形態について、図面を参照しながら説明する。
【００５３】
（実施の形態１）
図１は本発明の実施の形態１における静電フィルタ装置の構成を示す図である。図１に示すように、静電フィルタ装置１は直流の電圧を印加する電圧電源２と直流電源から必要な静電容量を蓄電し電位を一定に保つ蓄電手段としてのコンデンサー３と蓄電手段から印加させる電圧の変動を検出する電圧計などの電位変動検出手段４と静電フィルタ５とを通電する配線で結ばれている。静電フィルタ５は、風路６内に設置し、静電フィルタ５に室内空気を送風するため、ファン７が風路の後方に設置してある。
【００５４】
また、図２は静電フィルタ５の詳細を示す図である。静電フィルタ５は、例えば、１本の電気を通電する導電繊維８と、導電性を有する繊維としての１本の導電線１５を絶縁被膜した絶縁繊維１０で配線され、網の目のように交互に導電繊維８と絶縁繊維１０が織られている。また、図３は絶縁繊維１０の構成を示す図である。電気が通電する導電性を有する繊維としての導電線１５の表面に電気を絶縁する絶縁物９で覆われた絶縁繊維１０で構成されている。コンデンサー３と導電繊維８および絶縁繊維１０の導電線１５とが電気的に接続され、導電繊維８と絶縁繊維１０の導電線１５に異なった極性の電位、電圧が印加される。網の目のように交互に織られた導電繊維８と絶縁繊維１０を保持する枠１６が備えられている。
【００５５】
上記構成において、室内の空気中の塵埃やゴミは、風路６を通り、電圧電源２により、例えば、直流の電圧が印加され、コンデンサー３に蓄電され、静電フィルタ５の導電繊維８と絶縁繊維１０の導電線１５に異なった極性の電位が供給、通電される。静電フィルタ５の導電繊維８に印加された電圧と異なった極性の電圧が導電線１５に印加される。
【００５６】
風路６から大気中の静電気を帯びた塵埃は導入され、静電フィルタ５を通過する際に、静電気を帯びた塵埃は、導電繊維８と絶縁繊維１０の導電線１５間の電界、すなわち、導電繊維８と絶縁繊維１０間の電界により、どちらかの繊維の方向に移動し、導電繊維８もしくは、絶縁繊維１０の表面に静電気力によって吸い付けられ、付着する。静電気を帯びない粒子は、静電フィルタ５を通過し、ファン７によって室内に放出される。また、静電フィルタ５は、塵埃からの静電気により、表面の電荷が低減し、コンデンサー３の電圧を低下させ、電位変動検出手段４により、検知することが可能となる。塵埃からの静電気により、例えば、導電繊維８の表面電荷が中和され、図には示していないが、電位変動検出手段４により低下した電位を計測し、電圧電源２から再度電気を通電し、コンデンサー３に蓄電し、電位の維持を図る。また、図示はしていないが、絶縁繊維１０の表面に静電気を帯びた塵埃が付着することにより、絶縁繊維１０の導電線１５に印加された電位と異なる極性の電位が発生しその電位分の電界強度が低下することから、絶縁繊維１０上で発生する電位を電圧計等の表面電位検出手段で計測し、低下分の補償措置として、電圧電源２あるいはコンデンサー３から静電フィルタ５の導電繊維８と絶縁繊維１０の導電線１５に、絶縁繊維１０の表面に発生した異なる極性の電位分を上乗せして電位、電圧を供給、印加し、静電フィルタ５の導電繊維８と絶縁繊維１０間の電位差、電界強度を維持することで、集塵捕集された塵埃、粉塵が堆積しても、集塵性能を低下させることなく集塵性能を維持できることとなる。
【００５７】
なお、静電フィルタ５を導電繊維８と絶縁繊維１０の織りものとしたが、導電繊維８の表面を絶縁被膜する繊維も、その性能の差異を生じないことは明確である。さらには、静電フィルタ５の導電繊維８表面を絶縁被膜した絶縁繊維１０とすることで水や水溶性溶媒にて、絶縁繊維１０の表面に付着、集塵した粉塵等を容易に洗い流すことが可能となる。
【００５８】
また、電圧電源２より正負の極性をそれぞれ切り替え、コンデンサー３に供給することで、導電繊維８と絶縁繊維１０間での電位差の極性が異なり、電界形成の方向が変わる。それにより、静電反発が起こり、導電繊維８あるいは絶縁繊維１０の表面に付着していた粉塵等を、静電反発により導電繊維８あるいは絶縁繊維１０の表面から引き離し、捕集した粉塵を下に落下させ、静電フィルタ５の下に備えた粉塵受け等に回収することが可能になる。
【００５９】
また、導電繊維８と絶縁繊維１０間の電界強度を一定に保つ、すなわち、導電繊維８と絶縁繊維１０間の電位差を一定に保つために電圧を計測することで、荷電した粉塵が少ない場合には、印加電圧を低減し、不必要に電圧を上げないで絶縁維持の耐久性が向上することとなる。
【００６０】
また、導電繊維８、導電線１５の材料としてＣｕ、Ａｇのような内部抵抗の少ない金属材料を用いることで、絶縁被膜に熱劣化や熱による膨張を防止し、性能を維持することが可能となる。また、絶縁繊維１０中の被膜から電荷が、空気中に放電しないために絶縁繊維１０の被膜する材料の体積抵抗率を１０＾６Ωｃｍ以上とし、さらに、絶縁繊維１０表面の被膜から電荷が沿面に従って流れないために表面抵抗を１０＾６Ω／□以上とする。
【００６１】
また、絶縁繊維１０中の被膜に電荷が、粉塵などの通風によって、摩擦力から帯電しないように材料の体積抵抗率を１０＾１７Ωｃｍ以下とし、さらに、絶縁繊維１０表面の被膜で粉塵などの通風によって、摩擦力から帯電しないように表面抵抗を１０＾１７Ω／□以下とする。
【００６２】
また、捕集された塵埃は、静電気力と繊維表面の凹凸による維持力と付着力とにより、静電フィルタ５に保持されるため、コンデンサー３よりの電位供給を停止し、導電繊維８と絶縁繊維１０間の電界強度を低下させ、すなわち静電気力を低下させ、さらには、絶縁繊維１０表面を粉塵の自由落下が起こる程度に凹凸を減らし、平滑にすることで、塵埃の保持力を低下させ、容易に落とすことが可能となる。
【００６３】
また、コンデンサー３を利用することで、電圧電源２からの連続通電を停止し、コンデンサー３の容量にて、静電フィルタ５に電圧を印加することができる。それにより、静電フィルタ装置１を持ち運びすることが可能となり、また、コンデンサー３に充電すれば、電圧電源２に接続していなくとも、静電フィルタ５の導電繊維８と絶縁繊維１０の導電繊維８に必要な電圧が供給、印加できるため、導電繊維８と絶縁繊維１０間に電界が発生し、花粉あるいは粉塵等の集塵が可能となり、商用電源等の電圧電源２が使えない場所での花粉あるいは粉塵等の集塵使用が可能となる。あるいは携帯用としての使用も可能となる。
【００６４】
また、コンデンサー３を蓄電した電圧が静電フィルタ５へ供給され、電圧が低下した後に極性の異なる電圧をコンデンサー３に印加することで、静電気反発力により静電フィルタ５に付着した塵埃を落とすことが可能となる。
【００６５】
また、コンデンサー３の印加電圧の低下を検出する電圧計などの電位変動検出手段４を用い、電圧電源２にフィードバックし、コンデンサー３の電圧を維持することとしたが、コンデンサ−３から電流を検出して電圧電源２にフィードバックし、電流を供給する手段を用いてもよく、容易に作製することが可能となる。
【００６６】
（実施の形態２）
図４は本発明の実施の形態２における静電フィルタ装置の構成を示す図である。実施の形態１と同一部分は同一符号を附し詳細な説明は省略する。図４、図５に基づき、説明する。
【００６７】
図４は、図１に示されているように静電フィルタ装置１は、電圧電源２とコンデンサー３と電位変動検出手段４と静電フィルタ５と風路６とファン７で構成され、コンデンサー３から電圧が供給された静電フィルタ５の導電繊維の末端を放電針１１に接続し、その放電針１１とアースに接地した電極板である受電板１４とで構成されたコロナ放電ユニット１２が設置さている。また、静電フィルタ５の下部には、粉塵受け１３を設けている。網の目のように交互に織られた導電繊維８と絶縁繊維１０を保持する枠１６が備えられている。
【００６８】
上記構成において、大気に含まれる塵埃は、ファン７により風路６内を送風され、コロナ放電ユニット１２および静電フィルタ５に送られ、静電フィルタ５から供給、通電される電気により、コロナ放電ユニット１２で、荷電され、荷電された塵埃は、静電フィルタ５に捕集される。矢印は送風される向きを示す。静電フィルタ５本体に捕集された塵埃は、図には示していないが、電圧電源２より供給される正負の電力によりコンデンサー３に交互に蓄電することで、その交互に蓄電されたコンデンサー３により静電フィルタ５に正負の電位に交互に帯電させることで、電界の向きが交互に逆転し、捕集された粉塵が静電反発により静電フィルタ５から引き離され、粉塵受け１３に自然落下する。言うまでもないが、ファン７は停止した状態にて、作動する。
【００６９】
図５にコロナ放電ユニット１２の詳細を静電フィルタ５の配線を含めて示す。コロナ放電ユニット１２は、２個の放電針１１と２個の受電板１４で構成されている。それぞれの放電針１１は、絶縁繊維１０の導電繊維８と導電線１５からそれぞれ電気が供給され、受電板１４との間にコロナ放電を発生させる。受電板１４は、図に示していないが、アースに接続されている。電圧電源２から、コンデンサー３に正極の電気が印加され、絶縁繊維１０の導電繊維８に供給され、一方の放電針１１に供給され、コロナ放電が発生し、プラスイオンが生成する。
【００７０】
また、電圧電源２から、コンデンサー３に負極の電気が印加され、導電繊維８に供給され、別の放電針１１に供給され、コロナ放電が発生し、マイナスイオンが生成する。プラスイオンとマイナスイオンを発生し、空気中の塵埃にどちらかのイオンが、付着し、静電フィルタ５にて捕集される。放電針１１は放電できればよく、例えば、放電線でもよい。風路６に静電フィルタ５とコロナ放電ユニット１２が備えられ、風路６は図示をしていないが風路枠１７を骨格とした枠で囲われ、例えば、ダクト状となっている。矢印は送風される向きを示す。
【００７１】
また、コンデンサー３を蓄電した電圧が静電フィルタ５本体へ供給され、電圧が低下した後に極性の異なる電圧をコンデンサー３に印加することで、導電繊維８と絶縁繊維１０の導電線１５間の電界の向きが逆転し静電気反発が起こり、静電フィルタ５本体の導電繊維８と絶縁繊維１０に付着した塵埃を、静電気反発力により粉塵受け１３に落とすことが可能となる。
【産業上の利用可能性】
【００７２】
換気扇、空調機の吹出口に取り付けたフィルタを用いて容易にメンテナンスができ、空調機や換気扇の吹出口フィルタの用途にも適用できる。
【図面の簡単な説明】
【００７３】
【図１】本発明の実施の形態１の静電フィルタ装置を示す略図
【図２】同絶縁繊維の模式図
【図３】同静電フィルタの平面図
【図４】本発明の実施の形態２の静電フィルタ装置を示す略図
【図５】同静電フィルタの平面図
【図６】従来の静電フィルタの構成を示す略図
【符号の説明】
【００７４】
１    静電フィルタ装置
２    電圧電源
３    コンデンサー
４    電位変動検出手段
５    静電フィルタ
６    風路
７    ファン
８    導電繊維
９    絶縁物
１０  絶縁繊維
１１  放電針
１２  コロナ放電ユニット
１３  粉塵受け
１４  受電板
１５  導電線
１６  枠
【図１】
2009090165.tif 000003
【図２】
2009090165.tif 000004
【図３】
2009090165.tif 000005
【図４】
2009090165.tif 000006
【図５】
2009090165.tif 000007
【図６】
2009090165.tif 000008